(57)【要約】  懸濁物を含有する水性媒質を清澄化する方法が提供される。この方法は、懸濁物を含有する水性媒質中に、懸濁物を凝結・凝集させる処理添加剤を分散させた後、処理した水性媒質から懸濁物を分離する。処理添加剤は、溶液重合で調製され、約０．００１モル％以上０．１モル％未満の架橋剤を有する架橋ジアリルジアルキルアンモニウムハライドポリマーを含む。処理添加剤組成物及び処理添加剤の作成方法も提供される。【選択図】    なし【特許請求の範囲】
【請求項１】
架橋ポリマーを含む水溶性処理添加剤の製造方法であって、当該方法が、水溶液中でジアリルジアルキルアンモニウムハライドと架橋剤と開始剤と任意にはキレート剤からなるブレンドを重合させることを含んでおり、上記架橋剤が架橋ポリマーを基準にして０．００１モル％以上０．１モル％未満の量で存在する、方法。
【請求項２】
前記ジアリルジアルキルアンモニウムハライドポリマーがＣ1〜Ｃ10アルキル基を有する、請求項１記載の方法。
【請求項３】
前記アルキル基がメチル、エチル、プロピル及びブチルからなる群から選択される、請求項２記載の方法。
【請求項４】
前記ジアリルジアルキルアンモニウムハライドがクロリド、ブロミド及びヨージドからなる群から選択されるハライドを有する、請求項１記載の方法。
【請求項５】
前記ジアリルジアルキルアンモニウムハライドポリマーがポリジアリルジメチルアンモニウムクロリドである、請求項１記載の方法。
【請求項６】
前記架橋剤がトリアリルアンモニウムクロリド又はテトラアリルアンモニウムクロリドである、請求項１記載の方法。
【請求項７】
前記開始剤が、過硫酸塩、アゾビスイソブチロニトリル、酸素と亜硫酸ナトリウム、メタ重亜硫酸ナトリウム、２，２−アゾビス（２−メチル−２−アミジノプロパン）二塩酸塩、過硫酸アンモニウム及び過酸第一鉄アンモニウム六水和物からなる群から選択される、請求項１記載の方法。
【請求項８】
前記水溶液が水である、請求項１記載の方法。
【請求項９】
前記ブレンドを２５℃〜１５０℃の温度で重合させる、請求項１記載の方法。
【請求項１０】
前記処理添加剤が次式の構造Ｉ又は構造ＩＩを有する、請求項１記載の方法。
【化１】
2011527378.tif 000008
式中、ｍは１０〜１００であり、ｎは１０００〜１００００００である。
【請求項１１】
前記キレート剤が、ジアリルジアルキルアンモニウムハライドの重量を基準にして０．０５〜１０重量％の量で添加される、請求項１記載の方法。
【請求項１２】
前記処理添加剤が架橋ポリジアリルジメチルアンモニウムクロリドである、請求項１記載の方法。
【請求項１３】
懸濁物を含有する水性媒質を清澄化する方法であって、当該方法が、懸濁物を含有する水性媒質中に、懸濁物を凝結・凝集させるための処理添加剤を分散させた後、処理した水性媒質から懸濁物を分離することを含んでおり、上記処理添加剤が溶液重合で調製された架橋ジアリルジアルキルアンモニウムハライドポリマーを含んでいて、０．００１モル％以上０．１モル％未満の架橋剤を有する、方法。
【請求項１４】
前記ジアリルジアルキルアンモニウムハライドポリマーがポリジアリルジメチルアンモニウムクロリドである、請求項１３記載の方法。
【請求項１５】
前記水性媒質が水である、請求項１３記載の方法。
【請求項１６】
前記水が廃水、又は河川、湖若しくは地下水源からの原水である、請求項１５記載の方法。
【請求項１７】
前記懸濁物が有機又は無機固形物である、請求項１３記載の方法。
【請求項１８】
前記懸濁物が脂肪質及びタンパク質、油、グリース、油性廃棄物、析出金属、懸濁クレイ、泥又はシルトを含む、請求項１７記載の方法。
【請求項１９】
前記アルキル基がＣ1〜Ｃ10アルキル基である、請求項１３記載の方法。
【請求項２０】
前記アルキル基がメチル、エチル、プロピル及びブチルからなる群から選択される、請求項１９記載の方法。
【請求項２１】
前記ハライドがクロリド、ブロミド及びヨージドからなる群から選択される、請求項１３記載の方法。
【請求項２２】
前記処理添加剤が次式の構造Ｉ又は構造ＩＩを有する、請求項１３記載の方法。
【化２−１】
2011527378.tif 000009
【化２−２】
2011527378.tif 000010
式中、ｍは１０〜１００であり、ｎは１０００〜１００００００である。
【請求項２３】
前記架橋ジアリルジアルキルアンモニウムハライドが５０００〜８０００００ａｍｕの範囲の重量平均分子量を有する、請求項１３記載の方法。
【請求項２４】
前記架橋ジアリルジアルキルアンモニウムハライドが５００〜２５００センチポアズの固有粘度を有する、請求項１３記載の方法。
【請求項２５】
前記処理添加剤を水性媒質中に溶解させる、請求項１３記載の方法。
【請求項２６】
前記処理添加剤を水性媒質と共に１０秒〜５分間撹拌する、請求項１３記載の方法。
【請求項２７】
前記処理添加剤が、水性媒質の重量を基準にして１重量ｐｐｍ〜１０重量ｐｐｍの量で添加される、請求項１３記載の方法。
【請求項２８】
凝結物を、沈降又は濾過によって水性媒質から分離する、請求項１３記載の方法。
【請求項２９】
前記架橋ジアリルジアルキルアンモニウムハライドが０．００１モル％〜０．０９モル％の架橋剤を有する、請求項１３記載の方法。
【請求項３０】
（ａ）ジアリルジアルキルアンモニウムハライドと、
（ｂ）架橋ポリマーを基準にして０．００１モル％以上０．１モル％未満の架橋剤と、
（ｃ）開始剤と、
（ｄ）任意成分としてのキレート剤と
の溶液重合反応生成物からなる処理添加剤組成物。
【請求項３１】
前記ジアリルジアルキルアンモニウムハライドポリマーがポリジアリルジメチルアンモニウムクロリドである、請求項３０記載の組成物。
【請求項３２】
前記アルキル基がＣ1〜Ｃ10アルキル基である、請求項３０記載の組成物。
【請求項３３】
前記アルキル基がメチル、エチル、プロピル及びブチルからなる群から選択される、請求項３２記載の組成物。
【請求項３４】
前記ハライドがクロリド、ブロミド及びヨージドからなる群から選択される、請求項３０記載の組成物。
【請求項３５】
前記架橋剤が０．００１モル％〜０．０９モル％の量で存在する、請求項３０記載の組成物。
【請求項３６】
懸濁物を含有する水性媒質を清澄化するための処理添加剤の使用であって、当該方法が、懸濁物を含有する水性媒質に、懸濁物を凝結・凝集させるための処理添加剤を分散させた後、処理した水性媒質から懸濁物を分離することを含んでおり、上記処理添加剤が溶液重合で調製された架橋ジアリルジアルキルアンモニウムハライドポリマーを含んでいて、０．００１モル％以上０．１モル％未満の架橋剤を有する、方法。
【請求項３７】
前記処理添加剤が次式の構造Ｉ又は構造ＩＩを有する、請求項３６記載の使用。
【化３】
2011527378.tif 000011
式中、ｍは１０〜１００であり、ｎは１０００〜１００００００である。
【請求項３８】
前記処理添加剤が、水性媒質の重量を基準にして１重量ｐｐｍ〜１０重量ｐｐｍの量で添加される、請求項３６記載の使用。
【発明の詳細な説明】
【技術分野】
【０００１】
本発明は、水性媒質を処理するための方法と処理添加剤、より詳細には、水性媒質を清澄化する方法及び処理添加剤に関する。
【背景技術】
【０００２】
河川、湖又は地下水源からの水のような原水は通常懸濁物を含有している。家庭用及び産業用途での使用に適した水を提供するには、こうした懸濁物を除去しなければならない。懸濁物は沈降によって容易に除去できる大きな固体を含んでいることもあれば、沈降で容易に除去されない他の懸濁物（多くの場合コロイド状である）を含んでいることもある。これらの懸濁物は通例、凝結（coagulation）、凝集（floculation）及び沈殿（sedimentation）の段階を含む清澄化によって除去される。天然の懸濁粒子は殆どが負に荷電しており、通例、ポリジアリルジメチルアンモニウムクロリド（ＧＥ  Ｂｅｔｚ社から入手可能なＫｌａｒａｉｄ（登録商標）ＰＣ１１９２Ｐ又はＰｅａｒｌ  Ｒｉｖｅｒ  Ｐｏｌｙｍｅｒｓ社のＰＲＰ  ４４２０）のような水溶性有機カチオン性ポリマーを用いて除去される。
【先行技術文献】
【特許文献】
【０００３】
【特許文献１】米国特許第５５１０４３９号明細書
【発明の概要】
【発明が解決しようとする課題】
【０００４】
水性媒質から懸濁物を除去するための改良清澄化方法を提供することができれば望ましいであろう。
【課題を解決するための手段】
【０００５】
一実施形態では、懸濁物を含有する水性媒質を清澄化する方法は、懸濁物を含有する水性媒質に処理添加剤を分散させて懸濁物を凝結・凝集させた後、処理した水性媒質から懸濁物を分離することを含んでおり、処理添加剤は約０．００１モル％以上０．１モル％未満の架橋剤を有する溶液重合で製造された架橋ジアリルジアルキルアンモニウムハライドポリマーからなる。
【０００６】
別の実施形態では、水溶性処理添加剤組成物は、
（ａ）ジアリルジアルキルアンモニウムハライドと、
（ｂ）架橋ポリマーを基準にして約０．００１モル％以上０．１モル％未満の架橋剤と、
（ｃ）開始剤と、
（ｄ）任意成分としてのキレート剤と
の溶液重合反応生成物からなる。
【０００７】
別の実施形態では、架橋ポリマーを含む水溶性処理添加剤の製造方法は、水性溶液中でジアリルジアルキルアンモニウムハライド、架橋剤及び開始剤並びに任意成分としてのキレート剤からなるブレンドを重合させることを含んでおり、架橋剤は架橋ポリマーを基準にして約０．００１モル％以上０．１モル％未満の量で存在する。
【発明の効果】
【０００８】
様々な実施形態では、水溶性処理添加剤を調製するための改良法、水性媒質中の懸濁物を凝結・凝集させるための改良法、及び水性媒質を清澄化するための改良法を提供する。
【発明を実施するための形態】
【０００９】
単数形で記載したものであっても、文脈から別途明らかでない限り、複数の場合も包含する。同じ特性について述べた範囲はすべてその上下限を含み、独立に結合可能である。引用した文献の開示内容は援用によって本明細書の内容の一部をなす。
【００１０】
数量に用いられる「約」という修飾語は、記載の数値を含み、文脈毎に決まる意味をもつ（例えば、特定の数量の測定に付随する誤差範囲を含む）。
【００１１】
「任意」又は「適宜」という用語は、その用語に続いて記載された事象又は状況が起きても起こらなくてもよいことを意味しており、かかる記載はその事象又は状況が起こる場合と起こらない場合とを包含する。
【００１２】
一実施形態では、架橋ポリマーを含む水溶性処理添加剤の製造方法は、水溶液中で、ジアリルジアルキルアンモニウムハライド、架橋剤及び開始剤並びに任意成分としてのキレート剤からなるブレンドを重合させることを含んでおり、架橋剤は架橋ポリマーを基準にして約０．００１モル％以上０．１モル％未満存在する。
【００１３】
一実施形態では、ジアリルジアルキルアンモニウムハライドはＣ1〜Ｃ10アルキル基を有する。
【００１４】
別の実施形態では、アルキル基はメチル、エチル、プロピル又はブチルである。一実施形態では、ハライドはクロリド（塩化物）、ブロミド（臭化物）又はヨージド（ヨウ化物）である。
【００１５】
架橋剤は適切な架橋剤であれば任意のものでよい。一実施形態では、架橋剤はトリアリルアンモニウムクロリド（Ａ3ＡＣｌ）又はテトラアリルアンモニウムクロリド（Ａ4ＡＣｌ）である。
【００１６】
開始剤は過硫酸塩、アゾビスイソブチロニトリル、酸素及び亜硫酸ナトリウム若しくはメタ重亜硫酸ナトリウム、２，２−アゾビス（２−メチル−２−アミジノプロパン）二塩酸塩、過硫酸アンモニウム又は過酸第一鉄アンモニウム六水和物である。
【００１７】
ジアリルジアルキルアンモニウムハライド、架橋剤及び開始剤を水溶液中でブレンドする。一実施形態では、水溶液は水である。別の実施形態では、水溶液は脱イオン水である。一実施形態では、ブレンドは、その反応に適した温度で重合させればよい。一実施形態では、ブレンドは約２５℃〜約１５０℃の温度で重合させる。一実施形態では、重合反応時間はブレンドの重合に適した時間であればよい。別の実施形態では、重合反応時間は約１〜約５時間である。
【００１８】
架橋剤は、架橋ポリマーを基準にして約０．００１モル％以上０．１モル％未満有する架橋ポリマーの調製に適した量で添加すればよい。別の実施形態では、架橋剤は架橋ポリマーを基準にして約０．００１モル％〜約０．０９モル％の量で存在する。別の実施形態では、架橋剤は、架橋ポリマーを基準にして約０．００２５〜約０．０８モル％の量で存在する。別の実施形態では、架橋剤は架橋ポリマーを基準にして約０．００５〜約０．０５モル％の量で存在する。一実施形態では、架橋剤はモル基準でジアリルジアルキルアンモニウムハライドに対して約２５〜約１００ｐｐｍで存在する。
【００１９】
一実施形態では、開始剤の量はジアリルジアルキルアンモニウムハライドの重量を基準にして約２重量％〜約３重量％である。
【００２０】
反応の促進又は架橋ジアリルジアルキルアンモニウムハライドの収率の向上のため、慣用の添加剤を反応に添加してもよい。一実施形態では、キレート剤を添加して、重合を阻害しかねない反応混合物中の金属を錯化してもよい。一実施形態では、キレート剤はジエチレントリアミン五酢酸ナトリウム塩である。
【００２１】
一実施形態では、キレート剤はジアリルジアルキルアンモニウムハライドの重量を基準にして約０．０５〜約１０重量％の量で添加し得る。別の実施形態では、キレート剤はジアリルジアルキルアンモニウムハライドの重量を基準にして約０．１〜約５重量％の量で添加し得る。
【００２２】
処理添加剤は水溶性架橋ポリマーである。一実施形態では、処理添加剤は構造Ｉ又は構造ＩＩを有する。
【００２３】
【化１】
2011527378.tif 000002
式中、ｍは約１０〜約１００であり、ｎは約１０００〜約１００００００である。
【００２４】
別の実施形態では、処理添加剤は架橋ポリジアリルジメチルアンモニウムクロリド（ポリＤＡＤＭＡＣ）である。
【００２５】
一実施形態では、架橋ジアリルジアルキルアンモニウムハライドは約５０００〜約８０００００ａｍｕの範囲の重量平均分子量を有する。別の実施形態では、重量平均分子量は約１０００００〜約５０００００ａｍｕである。固有粘度は約５００〜約２５００センチポアズである。
【００２６】
一実施形態では、懸濁物を含有する水性媒質を清澄化する方法は、懸濁物を含有する水性媒質中に、懸濁物を凝結・凝集させるための処理添加剤を分散させた後、処理した水性媒質から懸濁物を分離することを含んでおり、処理添加剤は約０．００１モル％以上０．１モル％未満の架橋剤を有する溶液重合で製造された架橋ジアリルジアルキルアンモニウムハライドポリマーを含む。
【００２７】
処理される水性媒質は懸濁物を有する種類の水性媒質である。一実施形態では、水性媒質は水である。別の実施形態では、水性媒質は廃水又は河川、湖若しくは地下水源からの原水である。廃水としては、精油所、石油化学産業、化学産業、製鉄業、圧延産業、自動車産業、繊維産業、並びに食肉及び食品加工産業からの一次及び油性廃水流を挙げることができる。
【００２８】
懸濁物は水性媒質中に懸濁又は分散している有機又は無機固形物であり、残渣、脂肪質及びタンパク質のような有機物、油、グリース、油性廃棄物、析出金属、懸濁クレイ、泥又はシルト（silt）である。これらの懸濁物は大きな固形物その他の懸濁粒状物を含有していることがあり、コロイド状であることもある。
【００２９】
処理添加剤は水性媒質中で懸濁物を凝結・凝集させるカチオン性で水溶性架橋ポリマーである。天然の懸濁粒子は大部分が負に荷電している。凝結は懸濁物上の電荷を中和する過程である。一旦中和されると、粒子はもはや互いに反発することがなく、集合することができる。凝集は中和又は凝結物を合体させてより大きい凝結塊又はフロックを形成する過程である。その後、この凝結塊は、水性媒質を清澄化し精製するために水性媒質から分離される。
【００３０】
一実施形態では、処理添加剤は架橋ポリジアリルジアルキルアンモニウムハライドである。そのアルキル基はＣ1〜Ｃ10アルキル基である。別の実施形態では、アルキル基はメチル、エチル、プロピル又はブチルである。一実施形態では、ハライドはクロリド、ブロミド又はヨージドである。別の実施形態では、処理添加剤は架橋ポリジアリルジメチルアンモニウムクロリド（ポリＤＡＤＭＡＣ）である。
【００３１】
ジアリルジアルキルアンモニウムハライドは任意の適切な架橋剤で架橋し得る。一実施形態では、ジアリルジアルキルアンモニウムクロリドはトリアリルアンモニウムクロリド（Ａ3ＡＣｌ）又はテトラアリルアンモニウムクロリド（Ａ4ＡＣｌ）で架橋される。
【００３２】
一実施形態では、処理添加剤は構造Ｉ又は構造ＩＩを有する。
【００３３】
【化２−１】
2011527378.tif 000003
【００３４】
【化２−２】
2011527378.tif 000004
式中、ｍは約１０〜約１００であり、ｎは約１０００〜約１００００００である。
【００３５】
架橋ジアリルジアルキルアンモニウムハライドは、架橋剤及び開始剤の存在下でジアリルジアルキルアンモニウムハライドの水溶液重合により調製することができる。開始剤は過硫酸塩、アゾビスイソブチロニトリル、酸素と亜硫酸ナトリウム若しくはメタ重亜硫酸ナトリウム、２，２−アゾビス（２−メチル−２−アミジノプロパン）二塩酸塩、過硫酸アンモニウム又は過硫酸第一鉄アンモニウム六水和物である。一実施形態では、この反応の温度は約２５℃〜約１５０℃である。別の実施形態では、反応時間は約１〜約５時間である。
【００３６】
慣用の添加剤を反応に添加して、反応を促進し、又は架橋ジアリルジアルキルアンモニウムハライドの収率を高めることができる。一実施形態では、キレート剤を添加して、反応の際に重合を阻害しかねない金属を錯化してもよい。一実施形態では、キレート剤はジエチレントリアミン五酢酸ナトリウム塩である。
【００３７】
一実施形態では、キレート剤はジアリルジアルキルアンモニウムハライドの重量を基準にして約０．０５〜約１０重量％の量で添加することができる。別の実施形態では、キレート剤はジアリルジアルキルアンモニウムハライドの重量を基準にして約０．１〜約５重量％の量で添加することができる。
【００３８】
架橋剤は架橋ポリマーを基準にして約０．００１モル％以上０．１モル％未満存在する。別の実施形態では、架橋剤は架橋ポリマーを基準にして約０．００１モル％〜約０．０９モル％の量で存在する。別の実施形態では、架橋剤は架橋ポリマーを基準にして約０．００２５〜約０．０８モル％の量で存在する。別の実施形態では、架橋剤は架橋ポリマーを基準にして約０．００５〜約０．０５モル％の量で存在する。
【００３９】
一実施形態では、開始剤の量はジアリルジアルキルアンモニウムハライドの重量を基準にして約２重量％〜約３重量％である。
【００４０】
架橋ジアリルジアルキルアンモニウムハライドは約５０００〜約８０００００ａｍｕの範囲の重量平均分子量を有する。別の実施形態では、重量平均分子量は約１０００００〜約５０００００ａｍｕである。固有粘度は約５００〜約２５００センチポアズである。
【００４１】
処理添加剤は、任意の慣用の方法で水性媒質中に分散させる。一実施形態では、処理添加剤を水性媒質に加え、溶解するまで混合する。別の実施形態では、処理添加剤を水性媒質と共に激しく撹拌する。一実施形態では、処理添加剤を約１０秒〜約５分水性媒質と混合する。
【００４２】
処理添加剤は水性媒質を清澄化するのに充分な量で添加される。一実施形態では、処理添加剤は水性媒質の重量を基準にして約１重量ｐｐｍ〜約１０重量ｐｐｍの量で添加される。
【００４３】
凝結物は、処理した水性媒質から任意の慣用の方法で分離される。一実施形態では、凝結物は水性媒質から沈殿する。別の実施形態では、凝結物は濾過によって水性媒質から分離される。
【００４４】
別の実施形態では、処理添加剤組成物は、
（ａ）ジアリルジアルキルアンモニウムハライドと、
（ｂ）架橋ポリマーを基準にして約０．００１モル％以上０．１モル％未満の架橋剤と、
（ｃ）開始剤と、
（ｄ）任意成分としてのキレート剤と
の溶液重合反応生成物からなる。
【００４５】
ジアリルジアルキルアンモニウムハライドポリマー、架橋剤、キレート剤及び開始剤については上に記載した。
【実施例】
【００４６】
当業者がより容易に本発明を実施することができるように、例示のために、非限定的な実施例を以下に挙げる。
【００４７】
実施例１
機械式オーバーヘッド攪拌機、熱電対、還流凝縮器、窒素スパージ管、隔膜付きの添加口及び加熱マントルを備えた３００ｍｌの四つ首反応フラスコに、ジアリルジメチルアンモニウムクロリド（１００ｇ、６５％水溶液）、テトラアリルアンモニウムクロリド（Ａ4ＡＣｌ）（５０ｐｐｍ、モル基準）、ジエチレントリアミン五酢酸ナトリウム塩（０．１ｇ、４０％水溶液）及び脱イオン水（１５０ｇ）を入れた。得られた溶液を次に窒素スパージ下で混合しながら８０℃に加熱した。次に、５ｍｌの開始剤溶液（２０ｍｌの脱イオン水に溶解した３ｇの過硫酸アンモニウム）を反応器に入れ、そのバッチを８０℃に１時間保持した。その後、第２の開始剤溶液の５ｍｌ試料を反応器に加え、そのバッチを８０℃に１時間保持した。次に、残りの開始剤溶液を反応器に加え、そのバッチを８０℃で１時間保持した。この保持の後、バッチを脱イオン水で１８ｗｔ％活性分に調節し、室温に冷却して、体積粘性率が８６５ｃｐｓの透明な粘性の水溶液を得た。
【００４８】
実施例２
実施例２は、モル基準で２５ｐｐｍのＡ4ＡＣｌを使用した以外は実施例１に従って調製した。
【００４９】
実施例３
実施例３は、モル基準で１００ｐｐｍのＡ4ＡＣｌを使用した以外は実施例１に従って調製した。
【００５０】
実施例１〜３及び比較例（ＣＥ−Ａ−１、ＣＥ−Ａ−２、ＣＥ−Ｂ、ＣＥ−Ｃ及びＣＥ−Ｄ）の物理的特性を表１にまとめて示す。
【００５１】
【表１】
2011527378.tif 000005
実施例４
実施例１〜３の水清澄化効力を確かめるために、２つの実験室で調製した河川水を試験基質として用いて評価を行った。どちらの基質も脱イオン水、試薬級化学品、天然のクレイ及びフミン酸を含有していた。
【００５２】
合成Ｌｏｗｅｒ  Ｎｅｃｈｅｓ  Ｖａｌｌｅｙ  Ａｕｔｈｏｒｉｔｙ（ＬＮＶＡ）河川水という第１の基質を、典型的な媒質濁度河川の組成を近似するために調製した。これは以下の組成を有する。
濁度＝９９．５〜１００ｎｔｕ
合計懸濁固体＝３００ｍｇ／Ｌ
真の色＝１８５〜１８６Ｐｔ−Ｃｏ色単位
ｐＨ＝６．７５〜６．７８
Ｃａ＝２０ｍｇ／Ｌ（ＣａＣＯ3として）
Ｍｇ＝１０ｍｇ／Ｌ（ＣａＣＯ3として）
合成Ｍｉｓｓｉｓｓｉｐｐｉ河川水という第２の基質を、高い濁度、高い硬度の河川の組成を近似するために調製した。これは以下の組成を有する。
濁度＝１９８〜２２０ｎｔｕ
合計懸濁固体＝４５７ｍｇ／Ｌ
真の色＝１５２〜１５７Ｐｔ−Ｃｏ色単位
ｐＨ＝７．４７〜７．５２
Ｃａ＝１００ｍｇ／Ｌ（ＣａＣＯ3として）
Ｍｇ＝５１ｍｇ／Ｌ（ＣａＣＯ3として）
これらの評価に使用した方法は、典型的なフルスケール水処理浄化器の作動を擬似して設計された標準ジャー試験法であった。以下に記載する手順を用いて処理した後水中に残る残留濁度及び残留する真の色を測定することによって、各ポリマーの相対的水清澄化効力を決定した。濁度は、水中に懸濁している固体汚染物質の量の指標として測定した。真の色は、水中の天然の腐植汚染物質の量の指標として測定した。
【００５３】
全ての試験は、高さ１”×幅２”の櫂を備えたＰｈｉｐｐｓ  ａｎｄ  Ｂｉｒｄ  ６−Ｐａｄｄｌｅ  Ｓｔｉｒｒｅｒを用いて行った。手順を以下に記載する。
１）２００ｍｌの試験基質を２５０ｍｌのガラスビーカーに入れる。
２）基質を１００ｒｐｍで混合しながらポリマー溶液を試験基質に加える。
３）１００ｒｐｍで２分混合する。
４）３５ｒｐｍで５分混合する。
５）混合を止め、櫂を除去し、５分放置して固体を沈殿させる。
６）上清水の試料を分析のために採取する。
７）Ｈａｃｈ  Ｍｏｄｅｌ  ２１００ＡＮ  Ｔｕｒｂｉｄｉｍｅｔｅｒを用いて上清試料の濁度を測定する。
８）Ｈａｃｈ  ＤＲ／２０００  Ｓｐｅｃｔｒｏｐｈｏｔｏｍｅｔｅｒを用いて上清試料の真の色を測定する。
【００５４】
実施例１〜３及び比較例Ａ〜Ｄの水清澄化試験の結果を下記表２及び３に掲げる。
【００５５】
【表２】
2011527378.tif 000006
【００５６】
【表３】
2011527378.tif 000007
実施例１及び３は、比較例より、濁度を除去する上でずっと有効であり、真の色の値がより低かった。実施例２は比較例より良好な濁度除去を示していたが、より高い濃度の架橋剤を有する実施例１及び３ほどには有効でなかった。
【００５７】
例示の目的で典型的な実施形態について記載してきたが、以上の記載は本発明の範囲を非限定的な。従って、本発明の思想と範囲から逸脱することなく様々な修正、適合及び変更が当業者には明らかであろう。
【国際調査報告】
2011527378.tif 000012
2011527378.tif 000013